(57)【要約】【課題】  商品を注文する場合に、商品の属性を誤って選択している状態で、注文を確定してしまうことを可及的に防止できる電子商取引システムを提供する。【解決手段】  電子商取引管理サーバ１０は、人間の年齢と身長サイズとの関係を示す成長情報テーブルＴを記憶する成長情報記憶部２１と、最新の注文情報Ｆに含まれる商品利用者と同一の商品利用者を含む過去の注文情報を、注文情報データベース１７から抽出する注文情報抽出部２２と、最新の注文情報Ｆの受付日時における商品利用者の身長サイズに対応する衣服サイズを推定するサイズ推定部２３と、推定された衣服サイズと最新の注文情報Ｆに含まれる衣服サイズとを比較して、最新の注文情報Ｆに含まれる衣服サイズが適切であるか否かを判定するサイズ判定部２４と、適切なサイズでないと判定された場合に、衣服サイズの確認を促すＷｅｂページを端末装置３０に送信する確認情報送信部２５とを含む。【選択図】      図２
2012099029.tif 000002
【特許請求の範囲】
【請求項１】
時間とともに変化する複数の属性を有する商品の売買取引サービスを管理する電子商取引管理サーバと、該電子商取引管理サーバと電気通信回線網を介して通信可能な端末装置とを備えてなる電子商取引システムであって、
前記電子商取引管理サーバは、
端末装置によって指定された商品の属性およびその商品の利用者と、商品の注文を受け付けた受付日時とを含む注文情報を生成する注文情報生成部と、
注文情報生成部によって生成された注文情報が格納される注文情報格納部と、
前記注文情報生成部によって最新の注文情報が生成されると、該最新の注文情報に含まれる商品の利用者と同一の利用者を含む過去の注文情報を、前記注文情報格納部から抽出する注文情報抽出部と、
前記注文情報抽出部によって抽出された過去の注文情報において前記利用者が指定されている商品の属性と、該過去の注文情報の受付日時と前記最新の注文情報の受付日時との間の経過期間とに基づいて、前記最新の注文情報の受付日時における前記利用者にとって適切な属性を推定する属性推定部と、
属性推定部によって推定された属性と、前記最新の注文情報に含まれる商品の属性とを比較して、前記最新の注文情報に含まれる商品の属性が適切な属性であるか否かを判定する属性判定部と、
属性判定部によって適切な属性でないと判定された場合に、商品の属性の確認を要求するための確認情報を端末装置に送信する確認情報送信部とを含むことを特徴とする電子商取引システム。
【請求項２】
複数のサイズを有する商品の売買取引サービスを管理する電子商取引管理サーバと、該電子商取引管理サーバと電気通信回線網を介して通信可能な端末装置とを備えてなる電子商取引システムであって、
前記電子商取引管理サーバは、
端末装置によって指定された商品のサイズおよびその商品の利用者と、商品の注文を受け付けた受付日時とを含む注文情報を生成する注文情報生成部と、
注文情報生成部によって生成された注文情報が格納される注文情報格納部と、
人間の年齢と身体サイズとの関係を示す成長情報を記憶する成長情報記憶部と、
前記注文情報生成部によって最新の注文情報が生成されると、該最新の注文情報に含まれる商品の利用者と同一の利用者を含む過去の注文情報を、前記注文情報格納部から抽出する注文情報抽出部と、
前記注文情報抽出部によって抽出された過去の注文情報において前記利用者が指定されている商品のサイズと、前記成長情報記憶部に記憶される成長情報と、該過去の注文情報の受付日時と前記最新の注文情報の受付日時との間の経過期間とに基づいて、前記最新の注文情報の受付日時における前記利用者の身体サイズを推定するサイズ推定部と、
サイズ推定部によって推定された身体サイズと、前記最新の注文情報に含まれる商品のサイズとを比較して、前記最新の注文情報に含まれる商品のサイズが適切なサイズであるか否かを判定するサイズ判定部と、
サイズ判定部によって適切なサイズでないと判定された場合に、商品のサイズの確認を要求するための確認情報を端末装置に送信する確認情報送信部とを含むことを特徴とする電子商取引システム。
【請求項３】
前記サイズ推定部は、前記過去の注文情報における商品のサイズと前記成長情報とに基づいて、過去の注文情報の受付日時における前記利用者の年齢を推定し、推定した年齢と前記経過期間とに基づいて、最新の注文情報の受付日時における前記利用者の年齢を算出し、算出した年齢と前記成長情報とに基づいて、最新の注文情報の受付日時における前記利用者の身体サイズを推定することを特徴とする請求項２に記載の電子商取引システム。
【請求項４】
前記電子商取引管理サーバは、
前記売買取引サービスを利用する各ユーザについてのユーザ情報が格納されるユーザ情報格納部をさらに含み、
前記ユーザ情報は、複数名分の情報を登録可能に構成されていることを特徴とする請求項１に記載の電子商取引システム。
【請求項５】
前記電子商取引管理サーバは、
ユーザが端末装置によって選択した商品について、そのユーザのユーザ情報に含まれる複数名分の情報に基づいて、その商品の利用者を指定させる情報紐付部をさらに含むことを特徴とする請求項４に記載の電子商取引システム。
【請求項６】
前記電子商取引管理サーバは、
端末装置に提供するための提供情報であって、特定の商品に関する提供情報を生成する提供情報生成部と、
前記特定の商品の特徴に一致または類似する商品を含む過去の注文情報を前記注文情報格納部から抽出し、抽出した注文情報におけるその商品の利用者と、その利用者を含むユーザ情報とに基づいて、前記提供情報生成部によって生成される提供情報の送信先を決定する送信先決定部と、
前記提供情報を、前記送信先決定部によって決定された送信先に送信する提供情報送信部とをさらに含むことを特徴とする請求項４または５に記載の電子商取引システム。
【請求項７】
前記属性推定部は、前記送信先決定部によって抽出された過去の注文情報において前記利用者が指定されている商品の属性と、該過去の注文情報の受付日時と現時点との間の経過期間とに基づいて、現時点における前記利用者にとって適切な属性を推定し、
前記提供情報送信部は、前記特定の商品について、前記属性推定部によって推定された属性の在庫がある場合のみ、提供情報を送信することを特徴とする請求項６に記載の電子商取引システム。
【請求項８】
前記確認情報送信部は、前記特定の商品について、前記属性推定部によって推定された商品の属性の在庫がある場合に、前記確認情報とともに、前記提供情報を端末装置に送信することを特徴とする請求項６に記載の電子商取引システム。
【発明の詳細な説明】
【技術分野】
【０００１】
本発明は、電子商取引システムに関し、特に、サイズなど時間とともに属性が変化する商品を売買する電子商取引システムに関する。
【背景技術】
【０００２】
近年、インターネットなどのコンピュータネットワーク上で商品を購入するオンラインショッピングの利用が拡大しており、たとえば子供を持つ親（保護者）が、オンラインショッピングを利用して、自分の子供のために子供服や育児用品などを購入するというケースが増加しつつある。
【０００３】
たとえば特許文献１には、子供を持つ親にとっての利便性を向上させるための育児支援システムが開示されている。この育児支援システムは、小児の保護者によって操作される端末装置と双方向の通信が可能に構成され、具体的には、小児の保護者が端末装置を利用して育児支援システムにアクセスすると、そのアクセス時点における小児の特徴（月齢・身長など）を基にして、インターネット上に流通する様々な育児関連情報から最適な育児関連情報を選別し、選別した育児関連情報をその小児の保護者に提供するように構成されている。
【先行技術文献】
【特許文献】
【０００４】
【特許文献１】特開２００３−３０５４１号公報
【発明の概要】
【発明が解決しようとする課題】
【０００５】
ところで、最近、子供を持つ親（保護者）がオンラインショッピングを利用して、自分の子供のためにサイズを選択して子供服を注文する場合に、実際に購入すべきサイズとは異なったサイズ、すなわち誤ったサイズで、子供服を注文してしまうというケースが生じている。
【０００６】
しかしながら、特許文献１に記載のシステムや従前の電子商取引システムでは、前記のように、ユーザが誤ったサイズで商品を注文してしまった場合であっても、注文を受けたサーバ側では、選択されているサイズが正しいか否かを判断することができない。それ故、現状では、サーバ側が、ユーザに対して、サイズを誤って選択しているおそれがあることを指摘するという処理は行われていない。
【０００７】
このように、誤ったサイズで商品を注文してしまった場合には、サイズを交換してもらうことによって正しいサイズの商品を手に入れることは可能であるが、そのための手続きはユーザにとって面倒であり、また、正しいサイズの商品を手に入れるまでに余分に時間がかかってしまう。また、サイズの交換手続きを行う時点では、本来選択すべきであったサイズの商品が、すでに売切れてしまっている場合も考えられる。
【０００８】
本発明の目的は、オンラインショッピングにおいて、ユーザが、サイズなど時間とともに属性が変化する商品を注文する場合に、その属性を誤って選択している状態で、注文を確定してしまうことを可及的に防止することのできるユーザフレンドリーな電子商取引システムを提供することである。
【課題を解決するための手段】
【０００９】
本発明は、時間とともに変化する複数の属性を有する商品の売買取引サービスを管理する電子商取引管理サーバと、該電子商取引管理サーバと電気通信回線網を介して通信可能な端末装置とを備えてなる電子商取引システムであって、
前記電子商取引管理サーバは、
端末装置によって指定された商品の属性およびその商品の利用者と、商品の注文を受け付けた受付日時とを含む注文情報を生成する注文情報生成部と、
注文情報生成部によって生成された注文情報が格納される注文情報格納部と、
前記注文情報生成部によって最新の注文情報が生成されると、該最新の注文情報に含まれる商品の利用者と同一の利用者を含む過去の注文情報を、前記注文情報格納部から抽出する注文情報抽出部と、
前記注文情報抽出部によって抽出された過去の注文情報において前記利用者が指定されている商品の属性と、該過去の注文情報の受付日時と前記最新の注文情報の受付日時との間の経過期間とに基づいて、前記最新の注文情報の受付日時における前記利用者にとって適切な属性を推定する属性推定部と、
属性推定部によって推定された属性と、前記最新の注文情報に含まれる商品の属性とを比較して、前記最新の注文情報に含まれる商品の属性が適切な属性であるか否かを判定する属性判定部と、
属性判定部によって適切な属性でないと判定された場合に、商品の属性の確認を要求するための確認情報を端末装置に送信する確認情報送信部とを含むことを特徴とする電子商取引システムである。
【００１０】
また本発明は、複数のサイズを有する商品の売買取引サービスを管理する電子商取引管理サーバと、該電子商取引管理サーバと電気通信回線網を介して通信可能な端末装置とを備えてなる電子商取引システムであって、
前記電子商取引管理サーバは、
端末装置によって指定された商品のサイズおよびその商品の利用者と、商品の注文を受け付けた受付日時とを含む注文情報を生成する注文情報生成部と、
注文情報生成部によって生成された注文情報が格納される注文情報格納部と、
人間の年齢と身体サイズとの関係を示す成長情報を記憶する成長情報記憶部と、
前記注文情報生成部によって最新の注文情報が生成されると、該最新の注文情報に含まれる商品の利用者と同一の利用者を含む過去の注文情報を、前記注文情報格納部から抽出する注文情報抽出部と、
前記注文情報抽出部によって抽出された過去の注文情報において前記利用者が指定されている商品のサイズと、前記成長情報記憶部に記憶される成長情報と、該過去の注文情報の受付日時と前記最新の注文情報の受付日時との間の経過期間とに基づいて、前記最新の注文情報の受付日時における前記利用者の身体サイズを推定するサイズ推定部と、
サイズ推定部によって推定された身体サイズと、前記最新の注文情報に含まれる商品のサイズとを比較して、前記最新の注文情報に含まれる商品のサイズが適切なサイズであるか否かを判定するサイズ判定部と、
サイズ判定部によって適切なサイズでないと判定された場合に、商品のサイズの確認を要求するための確認情報を端末装置に送信する確認情報送信部とを含むことを特徴とする電子商取引システムである。
【００１１】
また本発明は、前記サイズ推定部は、前記過去の注文情報における商品のサイズと前記成長情報とに基づいて、過去の注文情報の受付日時における前記利用者の年齢を推定し、推定した年齢と前記経過期間とに基づいて、最新の注文情報の受付日時における前記利用者の年齢を算出し、算出した年齢と前記成長情報とに基づいて、最新の注文情報の受付日時における前記利用者の身体サイズを推定することを特徴とする。
【００１２】
また本発明は、前記電子商取引管理サーバは、
前記売買取引サービスを利用する各ユーザについてのユーザ情報が格納されるユーザ情報格納部をさらに含み、
前記ユーザ情報は、複数名分の情報を登録可能に構成されていることを特徴とする。
【００１３】
また本発明は、前記電子商取引管理サーバは、
ユーザが端末装置によって選択した商品について、そのユーザのユーザ情報に含まれる複数名分の情報に基づいて、その商品の利用者を指定させる情報紐付部をさらに含むことを特徴とする。
【００１４】
また本発明は、前記電子商取引管理サーバは、
端末装置に提供するための提供情報であって、特定の商品に関する提供情報を生成する提供情報生成部と、
前記特定の商品の特徴に一致または類似する商品を含む過去の注文情報を前記注文情報格納部から抽出し、抽出した注文情報におけるその商品の利用者と、その利用者を含むユーザ情報とに基づいて、前記提供情報生成部によって生成される提供情報の送信先を決定する送信先決定部と、
前記提供情報を、前記送信先決定部によって決定された送信先に送信する提供情報送信部とをさらに含むことを特徴とする。
【００１５】
また本発明は、前記属性推定部は、前記送信先決定部によって抽出された過去の注文情報において前記利用者が指定されている商品の属性と、該過去の注文情報の受付日時と現時点との間の経過期間とに基づいて、現時点における前記利用者にとって適切な属性を推定し、
前記提供情報送信部は、前記特定の商品について、前記属性推定部によって推定された属性の在庫がある場合のみ、提供情報を送信することを特徴とする。
【００１６】
また本発明は、前記確認情報送信部は、前記特定の商品について、前記属性推定部によって推定された商品の属性の在庫がある場合に、前記確認情報とともに、前記提供情報を端末装置に送信することを特徴とする。
【発明の効果】
【００１７】
本発明によれば、ユーザの選択した商品の属性が誤っているおそれがある場合に、電子商取引管理サーバは、商品の属性を確認させるための確認情報を、ユーザに送信することができる。これにより、ユーザに商品の属性の誤選択を気付かせることができる。したがって、ユーザが、商品の属性を誤った状態のまま、注文を確定してしまうことを可及的に防止することができる。
【図面の簡単な説明】
【００１８】
【図１】本発明の第１の実施形態に係る電子商取引システム１の構成を概略的に示すブロック図である。
【図２】本発明の第１の実施形態に係る電子商取引管理サーバ１０の機能構成の一例を示すブロック図である。
【図３】ユーザ情報データベース１１に格納される会員ごとのユーザ情報Ｄに含まれる主要な項目を示す図である。
【図４】注文情報生成部１４によって生成された注文情報Ｆの一例を示す図である。
【図５】成長情報記憶部２１に記憶される成長情報テーブルＴの一例を示す図である。
【図６】図４に示す注文情報Ｆに基づいて抽出された過去の注文情報ｆの一例を示す図である。
【図７】本発明の第１の実施形態に係る電子商取引管理サーバ１０によって実行される注文確認処理の流れを示すフローチャートである。
【図８】本発明の第２の実施形態に係る電子商取引管理サーバ１０Ａの機能構成の一例を示すブロック図である。
【図９】本発明の第２の実施形態に係る電子商取引管理サーバ１０Ａによって実行される第１の提供情報送信処理の流れを示すフローチャートである。
【図１０】本発明の第２の実施形態に係る電子商取引管理サーバ１０Ａによって実行される第２の提供情報送信処理の流れを示すフローチャートである。
【図１１】本発明の第２の実施形態に係る電子商取引管理サーバ１０Ａによって実行される注文確認処理の流れを示すフローチャートである。
【発明を実施するための形態】
【００１９】
図１は、本発明の第１の実施形態に係る電子商取引システム１の構成を概略的に示すブロック図である。電子商取引システム１は、商品の売買取引サービスを管理する電子商取引管理サーバ１０と、ＬＡＮ（Local Area Network）、ＷＡＮ（Wide Area Network）およびインターネットなどの電気通信回線網５０を介して、電子商取引管理サーバ１０に対して通信可能なパーソナルコンピュータ３０ａおよび携帯電話３０ｂなどの端末装置３０とによって構成される。
【００２０】
電子商取引管理サーバ１０は、電気通信回線網５０を通じた商品の売買取引サービスを、端末装置３０の利用者、すなわちユーザに提供するように構成されている。以下、電気通信回線網５０を通じた商品の売買取引サービスを、オンラインストアサービスと称し、電気通信回線網５０上における仮想の店舗を、オンラインストアと称することがある。
【００２１】
電子商取引管理サーバ１０は、時間とともに属性が変化するような商品を取引対象にしているものとする。ここで、時間とともに変化する属性とは、たとえば、衣服の場合であればそのサイズに相当し、玩具、絵本および化粧品などの場合であればその対象年齢に相当し、学習参考書の場合であればその対象学年に相当する。時間とともに属性が変化する商品としては、前記の衣服、玩具、絵本、化粧品および学習参考書のほか、年をとると必要になってくる老眼鏡、サプリメント、健康機器なども含まれる。
【００２２】
本実施形態では、電子商取引管理サーバ１０は、複数のサイズを有する商品を取引対象とし、詳細には、サイズが人間の身長の大きさごとに分類されているような幼児用・子供用の衣服（以下、「子供服」と称する）を含む衣服を、取引対象の商品としているオンラインストアサービスを提供するものである。
【００２３】
ここで、人間の身長の大きさごとに分類される衣服のサイズとは、特定の身長付近の子供を着用対象として製造された衣服について、その特定の身長の大きさを表す数字によって表記される衣服サイズのことである。たとえば、衣服サイズが１１０という数字で表記されている場合、その衣服は、１１０ｃｍ辺りの身長の子供を着用対象として製造されたものである。このようなサイズ表記は、特に、子供服の衣服サイズを示す場合に用いられているものである。
【００２４】
本実施形態の電子商取引管理サーバ１０は、インターネットへの接続機能、および現在時刻を計時する計時手段（図示せず）による計時機能を有するコンピュータと、このコンピュータのＣＰＵ（Central Processing Unit）によって読み取られるコンピュータプログラムとによって実現される。
【００２５】
このコンピュータプログラムは、コンピュータが搭載するＯＳ（Operating System）との協働によって、Ｗｅｂサーバの機能、および後述する機能を形成するためのプログラムである。コンピュータには、ＣＰＵがアクセス可能なハードディスクおよび不揮発性メモリなどの情報記録装置が設けられており、上記のコンピュータプログラムは、可搬性の記録媒体あるいはコンピュータに接続されたネットワークを通じて、前記の情報記録装置にインストールされるものである。
【００２６】
Ｗｅｂサーバの機能を有する電子商取引管理サーバ１０は、Ｗｅｂブラウザの機能を有する端末装置３０によってＵＲＬ（Uniform Resource Locator）が指定されると、そのＵＲＬに対応するＷｅｂページを、情報記録装置に記憶されている各種の情報に基づいて生成し、端末装置３０に送信することができる。
【００２７】
一方、Ｗｅｂブラウザの機能を有する端末装置３０は、液晶ディスプレイなどによって構成される表示部３１を備え、電子商取引管理サーバ１０から送信されたＷｅｂページを画面に表示させることができる。
【００２８】
また、端末装置３０は、キーボード、ポインディングデバイスおよびタッチパネルなどによって実現される入力部３２を備えており、ユーザは、入力部３２を操作することによって、必要な情報の入力を行うとともに、入力した情報・要求などを電気通信回線網５０を介して電子商取引管理サーバ１０に送信することができる。
【００２９】
さらに、端末装置３０は、メーラの機能を有しており、電子商取引管理サーバ１０から送信される電子メールを受信し、受信した電子メールを表示部３１に表示させることができる。ユーザは、表示部３１に表示された電子メールを閲覧することにより、電子商取引管理サーバ１０から送信される情報を確認することができる。
【００３０】
図２は、本発明の第１の実施形態に係る電子商取引管理サーバ１０の機能構成の一例を示すブロック図である。本実施形態の電子商取引管理サーバ１０が提供するオンラインストアサービスを利用するユーザは、そのオンラインストアで商品を購入するために、予めそのオンラインストアへの会員登録を行い、会員ごとに一意のユーザＩＤとパスワードとを取得しておく必要があるものとする。
【００３１】
つまり、ユーザは、会員登録によって取得したユーザＩＤおよびパスワードを入力して電子商取引管理サーバ１０に送信することにより、電子商取引管理サーバ１０によって認証を受けなければ、すなわちオンラインストアへログインしなければ、商品の購入手続を進めることができないものとする。
【００３２】
電子商取引管理サーバ１０は、ユーザ情報データベース１１と、ユーザ情報管理部１２と、商品情報データベース１３と、注文情報生成部１４と、情報紐付部１５と、注文情報管理部１６と、注文情報データベース１７と、成長情報記憶部２１と、注文情報抽出部２２と、サイズ推定部２３と、サイズ判定部２４と、確認情報送信部２５とを含み、ユーザによって選択された商品（衣服）の衣服サイズが誤っているおそれがあるか否かを判定し、ユーザが注文を確定させる前に、ユーザが操作する端末装置３０に対し、衣服サイズの確認を促すための確認情報を送信するように構成されている。
【００３３】
以下、電子商取引管理サーバ１０の各部１１〜１７，２１〜２５について詳細に説明する。
【００３４】
ユーザ情報格納部であるユーザ情報データベース１１は、オンラインストアの会員ごとに生成されたユーザ情報が格納されるデータベースである。ユーザ情報データベース１１は、たとえば電子商取引管理サーバ１０に備えられる前述の情報記録装置に構築される。
【００３５】
ユーザ情報管理部１２は、端末装置３０から送信されたユーザ情報の新規登録要求に応じて、新規登録要求とともに端末装置３０から送信されたユーザ情報を、ユーザ情報データベース１１に新規登録する。ユーザは、端末装置３０を用いて、電子商取引管理サーバ１０から送信されるユーザ情報入力用のＷｅｂページ上に、必要な情報を入力し、作成したユーザ情報を電子商取引管理サーバ１０へ送信することにより、会員登録を行うことができる。
【００３６】
また、ユーザ情報管理部１２は、端末装置３０から送信されたユーザ情報の更新登録要求に応じて、更新登録要求とともに端末装置３０から送信された更新用のユーザ情報によって、既にユーザ情報データベース１１に登録されているユーザ情報を更新登録する。
【００３７】
図３は、ユーザ情報データベース１１に格納される会員ごとのユーザ情報Ｄに含まれる主要な項目を示す図である。ユーザ情報Ｄには、オンラインストアの会員として登録される主登録者に関する主登録者情報ｄ０が含まれる。主登録者情報ｄ０には、図３に示すように、「ユーザＩＤ」、「パスワード」、「氏名」、「年齢（生年月日）」、「メールアドレス」および「クレジットカード情報」の各項目に関する情報が含まれる。
【００３８】
主登録者情報ｄ０において、「ユーザＩＤ」には、オンラインストアの会員ごとに一意となる識別情報が格納される。「パスワード」には、ユーザＩＤを保持する会員であることを認証するために用いられるパスワード情報が格納される。「氏名」には、オンラインストアの会員として登録される主登録者の氏名情報が格納される。「年齢（生年月日）」には、その主登録者のユーザ情報登録時における年齢情報、または、その主登録者の生年月日情報が格納される。
【００３９】
「住所」には、その主登録者の住居がある地の住所情報が格納される。「メールアドレス」には、その主登録者が保有している電子メールアドレス情報が格納される。「クレジットカード情報」には、その主登録者が保有しているクレジットカードに関する情報、具体的には、クレジットカード会社名、カード番号、カード名義およびカード有効期限などを含む情報が格納される。
【００４０】
また、本実施形態では、１つのユーザ情報Ｄに、上記の主登録者に関する主登録者情報ｄ０だけでなく、主登録者以外の者の情報を付加的に登録しておくことができるように構成されている。
【００４１】
以下、ユーザ情報Ｄに登録される主登録者以外の者を、「付加登録者」と称し、ユーザ情報Ｄにおける付加登録者の情報を、「付加登録者情報」と称する。つまり、ユーザは、ユーザ情報新規登録またはユーザ情報更新登録の際に、必要に応じて、１または複数名分の付加登録者情報を、ユーザ情報Ｄに登録しておくことができる。なお、図３では、２名分の付加登録者情報ｄ１，ｄ２が登録されているユーザ情報Ｄの例を示している。
【００４２】
付加登録者情報ｄ１，ｄ２において、「氏名」には、その主登録者によって付加的に登録された付加登録者の氏名情報が格納される。「年齢（生年月日）」には、その付加登録者のユーザ情報登録時における年齢情報、または、その付加登録者の生年月日情報が格納される。「住所」には、その付加登録者の住居がある地の住所である。「メールアドレス」には、その付加登録者が保有している電子メールアドレス情報が格納される。「クレジットカード情報」には、その付加登録者が保有しているクレジットカードに関する情報が格納される。
【００４３】
なお、ユーザは、必要に応じて、主登録者情報ｄ０および付加登録者情報ｄ１，ｄ２における「メールアドレス」および「クレジットカード情報」の各項目に対し、複数の情報を登録しておくこともできるし、また、情報を登録しないことを選択することもできる。
【００４４】
上記のように、本実施形態では、ユーザ情報Ｄにおいて、オンラインストアの会員として登録される主登録者一人分の情報だけでなく、主登録者以外の者の情報を付加的に登録しておくことができる。すなわち、ユーザ情報Ｄには、複数名分の情報を登録しておくことができる。
【００４５】
したがって、ユーザが幼児・子供をもつ保護者である場合、ユーザ情報Ｄに、自ら（保護者）の情報だけでなく、オンラインストアで販売される子供服を実際に着用する幼児・子供の情報を、付加登録者情報として登録しておくことができる。
【００４６】
商品情報データベース１３は、オンラインストアにおける取引対象の商品の情報（以下、「商品情報」と称する）が格納されるデータベースである。商品情報データベース１３は、たとえば電子商取引管理サーバ１０に備えられる前述の情報記録装置に構築される。
【００４７】
本実施形態では、商品情報データベース１３には、複数種類の取引対象の衣服に関する商品情報が記憶され、１種類の衣服に関する商品情報には、「商品コード」、「商品名」、「単価」、「サイズコード」および「カラーコード」の各項目に関する情報が少なくとも含まれている。
【００４８】
商品情報において、「商品コード」には、取引対象の商品ごとに一意となる識別情報が格納される。「商品名」には、その商品の名称情報が格納される。「単価」には、その商品に設定されている単位数量当たりの価格情報が格納される。「カラーコード」には、その商品について販売用に取り揃えられている複数の色を示すカラー情報が格納される。なお、ある色について商品の在庫がなくなった場合には、その色の在庫がなくなった旨を示す情報も併せて格納される。
【００４９】
「サイズコード」には、その商品について販売用に取り揃えられている複数の衣服サイズを示すサイズ情報が格納される。たとえば、その商品が子供服である場合には、前記のように人間の身長の大きさごとに分類される衣服のサイズを示すサイズ情報が格納される。また、その商品が大人用の衣服である場合には、たとえばＳ・Ｍ・Ｌなどの表記による商品サイズのサイズ情報が格納される。
【００５０】
たとえば、ある子供服について、人間の身長の大きさごとに分類される衣服のサイズが９０，１００，１１０，１２０の商品が取り揃えられている場合、「サイズコード」には、これらの各数字を示すサイズ情報が格納される。なお、前記と同様に、ある衣服サイズについて商品の在庫がなくなった場合には、その衣服サイズの在庫がなくなった旨を示す情報も併せて格納される。
【００５１】
商品情報データベース１３には、これらの各項目に関する情報のほか、その商品を撮像した画像の画像情報およびその商品の特徴を示す特徴情報なども格納される。電子商取引管理サーバ１０は、これらの各情報に基づいて、商品選択用のＷｅｂページ（以下、「商品選択ページ」と称する）を生成するように構成される。電子商取引管理サーバ１０は、端末装置３０からの送信要求を受信すると、指定されたＵＲＬに対応する商品選択ページを、その端末装置３０に送信する。
【００５２】
商品を購入しようとするユーザは、商品選択ページにおいて、衣服サイズ、色および数量などを指定して商品を選択し、商品選択ページに設けられている、選択した商品に関する情報（以下、「選択商品情報」と称する）を電子商取引管理サーバ１０へ送信させるための「送信」ボタンを押下するなどして、選択商品情報を電子商取引管理サーバ１０へ送信する。
【００５３】
一方、電子商取引管理サーバ１０では、端末装置３０から送信された選択商品情報を受信すると、その選択商品情報を蓄積する。そして、端末装置３０から送信される注文手続実行要求を受信した場合に、蓄積している選択商品情報に基づいて、注文確認処理を実行する。
【００５４】
注文情報生成部１４は、端末装置３０から注文手続実行要求を受信すると、電子商取引管理サーバ１０に備えられる計時手段から注文手続実行要求を受信した日時を取得し、蓄積している選択商品情報と、取得した注文受付日時情報とに基づいて、図４に示すような注文情報を生成する。
【００５５】
図４は、注文情報生成部１４によって生成された注文情報Ｆの一例を示す図である。図４に示す注文情報Ｆは、主登録者として「山田太郎」が登録され、かつ付加登録者として「山田愛子」と「山田大作」とが登録されているユーザ情報ＤにおけるユーザＩＤとパスワードとによってログインしたユーザが、所望の商品を選択した後、注文手続実行要求を送信することによって作成された注文情報であるものとする。なお、付加登録者である「山田愛子」と「山田大作」とは、主登録者である「山田太郎」の子供であるものとする。
【００５６】
図４に示すように、注文情報生成部１４によって生成された注文情報Ｆには、ユーザによって選択された３種類の商品についての情報が含まれており、各種類の商品の情報には、「注文受付日時」ｐ１、「主登録者」ｐ２、「商品利用者」ｐ３、「商品コード」ｐ４、「サイズコード」ｐ５、「カラーコード」ｐ６および「数量」ｐ７の各項目に関する情報が含まれる。
【００５７】
注文情報Ｆにおいて、「注文受付日時」ｐ１には、注文手続実行要求の受信に応答して注文情報生成部１４が取得した注文受付日時情報が格納される。「主登録者」ｐ２には、ログイン時に入力されたユーザＩＤに基づいてユーザ情報データベース１１から抽出されたユーザ情報Ｄにおける主登録者の氏名情報が格納される。
【００５８】
「商品コード」ｐ４には、ユーザによって選択された商品の商品コード情報が格納される。「サイズコード」ｐ５には、その商品について取り揃えられている複数の衣服サイズのうち、商品選択ページにおいて、たとえばセレクトボタンまたはラジオボタンなどによって選択されたサイズ情報が格納される。
【００５９】
同様に、「カラーコード」ｐ６には、その商品について取り揃えられている複数の色のうち、商品選択ページにおいて、たとえばセレクトボタンまたはラジオボタンなどによって選択されたカラー情報が格納される。「数量」ｐ７には、商品選択ページにおいて、ユーザが選択または入力した数量情報が格納される。
【００６０】
「商品利用者」ｐ４には、ログイン時に入力されたユーザＩＤに基づいてユーザ情報データベース１１から抽出されたユーザ情報Ｄにおける主登録者および付加登録者のうち、その商品を利用する者（商品利用者）、本実施形態の場合、その衣服を着用する者として、ユーザが選択した者の氏名情報が格納される。
【００６１】
この商品利用者情報を取得する処理は、情報紐付部１５によって行われる。情報紐付部１５は、ユーザが商品選択ページにおいて所望の商品を選択し端末装置３０からその商品の選択商品情報を受信したときに、その商品の利用者をユーザに指定させるための専用のＷｅｂページ（以下、「商品利用者指定ページ」と称する）を生成し、生成した商品利用者指定ページを、その端末装置３０に対して送信する。
【００６２】
情報紐付部１５は、この商品利用者指定ページを生成する際に、ログイン時にユーザが入力したユーザＩＤを参照して、ユーザ情報データベース１１からそのユーザＩＤに一致するユーザ情報Ｄを抽出する。そして、情報紐付部１５は、端末装置３０から選択商品情報を受信したときに、抽出したユーザ情報Ｄから主登録者および付加登録者の氏名情報を取得し、取得した主登録者および付加登録者の氏名情報のうちから、たとえばセレクトボタンまたはラジオボタンなどによって、その衣服を着用する者（商品利用者）をユーザに指定させるようなＷｅｂページを生成する。
【００６３】
また、情報紐付部１５は、ユーザが商品利用者指定ページ上で商品利用者を指定することにより端末装置３０から送信された商品利用者の氏名情報を受信すると、その氏名情報を商品利用者情報として、選択商品情報に付加して蓄積させる。このような処理により、選択商品情報と、ユーザ情報Ｄに登録されている１名とを紐付けすることができる。
【００６４】
図４の注文情報Ｆを例に挙げて説明すると、ユーザが商品選択ページにおいて商品コード「Ｄｅｆ」の商品を選択し、その商品の選択商品情報を電子商取引管理サーバ１０が受信したときに、情報紐付部１５は、そのユーザのユーザ情報Ｄから主登録者の氏名情報「山田太郎」と付加登録者の氏名情報「山田愛子」，「山田大作」とを取得し、これらの氏名情報のうち、誰が商品利用者であるのかを指定させるための商品利用者指定ページを、端末装置３０に対して送信する。
【００６５】
そして、情報紐付部１５は、ユーザがこの商品利用者指定ページ上でたとえば「山田愛子」を指定することにより端末装置３０からその氏名情報を受信すると、受信した氏名情報を、商品利用者情報として商品コード「Ｄｅｆ」の選択商品情報に付加し、その選択商品情報を蓄積させる。
【００６６】
このように、本実施形態では、ユーザは、オンラインストアで商品を選択した場合に、そのユーザのユーザ情報に登録されている主登録者および付加登録者のうちから、その商品を利用する商品利用者を指定しなければならないように構成されている。
【００６７】
ここで、図４に示される注文情報Ｆについて説明しておくと、注文情報Ｆには３種類の商品についての情報が含まれ、そのうちの１つである商品コード「Ａｂｃ」の商品については、商品利用者として「山田太郎」が指定され、衣服サイズとして「Ｌ」が指定され、商品の色として黒（カラーコードでは、「ＢＬ」）が指定され、購入数量として「１個」が指定されている。
【００６８】
また、商品コード「Ｄｅｆ」の商品については、商品利用者として「山田愛子」が指定され、衣服サイズとして「１３０」が指定され、商品の色としてピンク（カラーコードでは、「ＰＫ」）が指定され、購入数量として「１個」が指定されている。
【００６９】
また、商品コード「Ｇｈｉ」の商品については、商品利用者として「山田大作」が指定され、衣服サイズとして「１２０」が指定され、商品の色として緑（カラーコードでは、「ＧＲ」）が指定され、購入数量として「１個」が指定されている。
【００７０】
なお、商品コード「Ａｂｃ」の商品は、大人用の衣服であるものとし、また、商品コード「Ｄｅｆ」および「Ｇｈｉ」の商品は、いずれも子供服であるものとする。さらに、「１３０」および「１２０」という数字で表記される衣服サイズは、前記のように、人間の身長の大きさごとに分類される衣服サイズであるものとする。
【００７１】
注文情報管理部１６は、注文情報生成部１４によって図４に示されるような注文情報Ｆが生成されると、生成された注文情報Ｆを、注文情報データベース１７に登録する。前記のように、注文情報データベース１７に登録される注文情報Ｆは、注文情報Ｆに含まれる各商品に対して、ユーザ情報データベース１１に格納されるユーザ情報Ｄにおける１名とが紐付けされた情報になっている。
【００７２】
注文情報格納部である注文情報データベース１７は、注文情報管理部１６によって登録された注文情報Ｆが格納されるデータベースである。注文情報データベース１７は、たとえば電子商取引管理サーバ１０に備えられる前述の情報記録装置に構築される。
【００７３】
成長情報記憶部２１には、人間の身体の成長に関する情報である成長情報を示すテーブルまたはグラフが予め作成されて記憶される。ここで、成長情報とは、人間の年齢（月齢）と、その年齢（月齢）における身体サイズ、詳細には身長サイズの標準的な範囲との関係を示す情報である。
【００７４】
図５は、成長情報記憶部２１に記憶される成長情報テーブルＴの一例を示す図である。このような成長情報テーブルＴは、幼児・小児を対象にして調査された年齢（月齢）ごとの身長サイズの分布結果に基づいて作成することができ、たとえば厚生労働省や民間の機関によって行われた調査の結果、または、独自に行われた調査の結果に基づいて作成してもよい。
【００７５】
図５に示す成長情報テーブルＴによれば、たとえば月齢が６ヶ月の幼児の場合、調査結果における最小の身長サイズが６３ｃｍであり、最大の身長サイズが７３ｃｍであることを示している。また、調査結果における身長サイズの平均値（μ）は６７．８ｃｍであり、標準偏差（σ）は２．４ｃｍであることを示している。
【００７６】
また、データの分布が正規分布であるならば全データの９５．４５％が含まれるとされる範囲の下端を示す値μ−２σは６３．１ｃｍであり、同範囲の上端を示す値μ＋２σは７２．６ｃｍであることを示している。
【００７７】
すなわち、図５に示す成長情報テーブルＴによれば、月齢が６ヶ月の幼児の身長サイズＳ（ｃｍ）は、少なくとも６３≦Ｓ≦７３の範囲内にあり、標準的には６３．１≦Ｓ≦７２．６の範囲内にあることを示している。
【００７８】
なお、図５では、１歳と２歳との間、２歳と３歳との間などを省略して記載しているが、これらの間にも、たとえば１ヶ月ごと、または３ヶ月ごとのデータが記載されているものとする。
【００７９】
注文情報抽出部２２は、注文情報生成部１４によって最新の注文情報Ｆが生成されると、その最新の注文情報Ｆから商品利用者情報を取得する。このとき、注文情報Ｆに複数の商品が含まれている場合には、人間の身長の大きさごとに分類される衣服のサイズがサイズコードに格納されている商品についてのみ、商品利用者情報を取得するようにしてもよい。
【００８０】
たとえば、図４に示す注文情報Ｆの場合、３種類の商品のうち、人間の身長の大きさごとに分類される衣服サイズがサイズコードに格納されている商品は、商品コード「Ｄｅｆ」および「Ｇｈｉ」の２種類の商品である。したがって、注文情報抽出部２２は、図４の注文情報Ｆが生成されると、その２種類の商品についての商品利用者情報、すなわち「山田愛子」および「山田大作」という氏名情報だけを取得する。
【００８１】
注文情報抽出部２２は、このようにして注文情報Ｆから商品利用者情報を取得すると、注文情報データベース１７に格納されている過去の注文情報の中から、取得した商品利用者情報に一致する氏名が商品利用者情報に格納されている注文情報を検索し、発見された場合には、その過去の注文情報を抽出する。
【００８２】
図６は、図４に示す注文情報Ｆに基づいて抽出された過去の注文情報fの一例を示す図である。図６に示す過去の注文情報fによれば、図４に示す注文情報Ｆの注文受付日時の１年ほど前に、商品コード「Ｌｍｎ」の商品が、商品利用者として「山田大作」を指定し、衣服サイズとして「９０」を指定し、商品の色として黒を指定し、購入数量として「１個」を指定することによって注文されている。なお、商品コード「Ｌｍｎ」の商品は子供服であるものとし、前記と同様に、「９０」という数字で表記される商品サイズは、人間の身長の大きさごとに分類される衣服サイズであるものとする。
【００８３】
サイズ推定部２３は、注文情報抽出部２２によって抽出された過去の注文情報fと、成長情報記憶部２１に記憶される成長情報テーブルＴと、注文情報生成部１４によって生成された最新の注文情報Ｆとに基づいて、最新の注文情報Ｆに含まれる子供服についての商品利用者の、その注文受付日時における身長サイズを推定する。
【００８４】
以下、図４に示す注文情報Ｆが生成された場合を例に挙げて、最新の注文情報Ｆの注文受付日時における身長サイズを推定する方法について説明する。
【００８５】
サイズ推定部２３は、注文情報抽出部２２によって図６に示す過去の注文情報ｆが抽出されると、その過去の注文情報ｆから、衣服サイズと注文受付日時とを取得する。つまり、図６に示す過去の注文情報ｆの場合、衣服サイズとして「９０」が取得され、注文受付日時として「２００９／０８／２３／０６：５５」が取得される。
【００８６】
次に、サイズ推定部２３は、成長情報記憶部２１に記憶される成長情報テーブルＴを参照して、過去の注文情報ｆから取得した衣服サイズに対応する身長サイズによって、年齢（月齢）を取得する。これにより、取得した年齢（月齢）を、過去の注文情報ｆの注文受付日時における、その商品利用者の年齢（月齢）として推定する。つまり、前記のように衣服サイズとして「９０」が取得されている場合、図５に示される成長情報テーブルＴを参照すると、過去の注文情報ｆの注文受付日時における商品利用者「山田大作」の年齢（月齢）は、２歳または３歳であったと推定することができる。
【００８７】
また、サイズ推定部２３は、過去の注文情報ｆから取得した注文受付日時と、注文情報生成部１４によって取得された最新の注文情報Ｆの注文受付日時との差分を計算することにより、最新の注文情報Ｆと過去の注文情報ｆとの間の経過期間を算出する。つまり、過去の注文情報ｆの注文受付日時が「２００９／０８／２３／０６：５５」であり、最新の注文情報Ｆの注文受付日時が「２０１０／０８／２６／２０：１８」である場合、経過期間は１年であると算出される。
【００８８】
そして、サイズ推定部２３は、過去の注文情報ｆの注文受付日時における商品利用者の推定年齢（月齢）に、算出した経過期間を加算することにより、最新の注文情報Ｆの注文受付日時における、その商品利用者の推定年齢（月齢）を算出する。そして、成長情報記憶部２１に記憶される成長情報テーブルＴを参照して、算出した推定年齢（月齢）に対応する身長サイズの範囲を抽出する。
【００８９】
つまり、前記のように過去の注文情報ｆと最新の注文情報Ｆとの間の経過期間が１年であると算出された場合、過去の注文情報ｆの注文受付日時における「山田大作」の年齢（月齢）が２歳または３歳と推定されているので、最新の注文情報Ｆの注文受付日時における「山田大作」の推定年齢（月齢）は、３歳または４歳であると算出することができる。そして、このように推定年齢（月齢）が３歳または４歳であると算出されると、図５に示される成長情報テーブルＴを参照することにより、最新の注文情報Ｆの注文受付日時における「山田大作」の身長サイズＳ’（ｃｍ）は、８５≦Ｓ’≦１１０（最大値と最小値とにより推定される範囲）の範囲内、または、８６．４≦Ｓ’≦１０８（平均値と標準偏差とに基づいて定められる標準的な範囲）の範囲内にあると推定することができる。
【００９０】
サイズ判定部２４は、最新の注文情報Ｆに含まれる子供服について指定されている衣服サイズと、サイズ推定部２３によって推定された、その子供服の商品利用者の最新の注文情報Ｆの注文受付日時における身長サイズの範囲とに基づいて、最新の注文情報Ｆにおいて指定された前記衣服サイズが適切なサイズであるか否かを判定する。
【００９１】
たとえば、図４の注文情報Ｆの場合、商品利用者として「山田大作」が選択されている商品では、衣服サイズが「１２０」と指定されている。これに対し、サイズ推定部２３によって推定された、最新の注文情報Ｆの注文受付日時における「山田大作」の身長サイズＳ’（ｃｍ）は、８５≦Ｓ’≦１１０または８６．４≦Ｓ’≦１０８である。この場合、サイズ判定部２４は、ユーザによって指定された衣服サイズ「１２０」が、推定された身長サイズの範囲内に含まれていないので、指定された衣服サイズ「１２０」が適切なサイズでないと判定する。
【００９２】
確認情報送信部２５は、サイズ判定部２４によってユーザが指定した衣服サイズが適切なサイズでないと判定された場合に、衣服サイズの確認をユーザに要求するためのＷｅｂページ（以下、「サイズ確認用ページ」と称する）を生成し、そのユーザの操作する端末装置３０に対して送信する。
【００９３】
図７は、本発明の第１の実施形態に係る電子商取引管理サーバ１０によって実行される注文確認処理の流れを示すフローチャートである。注文確認処理の開始に当たり、電子商取引管理サーバ１０には、商品利用者情報が付加された複数の選択商品情報が、すでに蓄積されているものとする。
【００９４】
注文確認処理が開始されると、ステップｓ１で、注文情報生成部１４は、端末装置３０から注文手続実行要求を受信する。注文手続実行要求の受信によって、電子商取引管理サーバ１０では、蓄積している選択商品情報による注文が受け付けられる。注文手続実行要求を受信すると、ステップｓ２に進む。
【００９５】
ステップｓ２で、注文情報生成部１４は、計時手段から注文手続実行要求を受信した日時を取得する。注文受付日時情報を取得すると、ステップｓ３に進む。
【００９６】
ステップｓ３で、注文情報生成部１４は、蓄積している選択商品情報と、ステップｓ２で取得した注文受付日時情報とに基づいて、最新の注文情報Ｆを生成する。最新の注文情報Ｆを生成すると、ステップｓ４に進む。
【００９７】
ステップｓ４で、注文情報管理部１６は、ステップｓ４で生成された最新の注文情報Ｆを、注文情報データベース１７に登録する。最新の注文情報Ｆが登録されると、ステップｓ５に進む。
【００９８】
ステップｓ５で、注文情報抽出部２２は、ステップｓ４で生成された最新の注文情報Ｆから、子供服の利用者としてユーザによって指定されている商品利用者情報を取得し、注文情報データベース１７に格納されている過去の注文情報の中から、取得した商品利用者情報に一致する氏名が商品利用者情報に格納されている注文情報ｆを抽出する。過去の注文情報ｆが抽出されると、ステップｓ６に進む。
【００９９】
ステップｓ６で、サイズ推定部２３は、ステップｓ５で抽出された過去の注文情報ｆと、成長情報記憶部２１に記憶される成長情報テーブルＴと、ステップｓ４で生成された最新の注文情報Ｆとに基づいて、その最新の注文情報Ｆにおける子供服の商品利用者の、注文情報Ｆの注文受付日時における身長サイズの範囲を推定する。身長サイズの範囲が推定されると、ステップｓ７に進む。
【０１００】
ステップｓ７で、サイズ判定部２４は、最新の注文情報Ｆにおいてユーザによって指定されている衣服サイズと、ステップｓ６で推定された身長サイズの範囲とを比較することにより、衣服サイズが身長サイズの範囲外であると判定された場合には、ステップｓ８に進む。また、衣服サイズが身長サイズの範囲内であると判定された場合には、注文確認処理を終了する。
【０１０１】
ステップｓ８で、確認情報送信部２５は、サイズ確認用ページを生成し、端末装置３０に対して送信する。サイズ確認用ページが送信されると、注文確認処理を終了する。
【０１０２】
電子商取引管理サーバ１０は、このような注文確認処理を実行した後、端末装置３０から送信される注文情報確定要求に応じて、注文情報Ｆを確定させる。また、ユーザは、電子商取引管理サーバ１０からサイズ確認用ページが送信された場合には、注文情報確定要求を送信する前に、指定した衣服サイズを確認し、誤っている場合には、正しい衣服サイズを再度指定することにより、注文情報Ｆを更新することができる。
【０１０３】
以上のように、本実施形態によれば、ユーザの指定した衣服サイズが誤っているおそれがある場合に、電子商取引管理サーバ１０は、衣服サイズを確認させるためのサイズ確認用ページを、ユーザに視認させることができる。これにより、ユーザに衣服サイズの誤選択を気付かせることができる。したがって、ユーザが、衣服サイズを誤った状態のまま、注文を確定してしまうことを可及的に防止することができる。
【０１０４】
また本実施形態によれば、ユーザ情報Ｄに複数名分の情報を登録しておくことができるので、これを利用して、商品を注文する際に、その商品の利用者を指定することができる。したがって、電子商取引管理サーバ１０は、前記のような注文確認処理を容易に実行することができる。
【０１０５】
上記の実施形態では、複数のサイズを有する衣服を取引対象の商品としている場合について説明したが、前述するように、衣服に限らず、対象年齢や対象学年などの属性が予め設定されている玩具、絵本、学習参考書および化粧品などを、取引対象の商品とすることもできる。
【０１０６】
前記のように、衣服を取引対象の商品とする場合であれば、人間の年齢と身体サイズとの関係を示す成長情報を考慮して、最新の注文情報における商品のサイズが適切であるか否かを判定していたが、玩具、絵本、学習参考書および化粧品などを取引対象の商品とする場合であれば、過去の注文情報における属性、すなわち対象年齢や対象学年と、過去の注文情報の受付日時と前記最新の注文情報の受付日時との間の経過期間とに基づいて、最新の注文情報の受付日時における、利用者の年齢や学年を推定することができる。すなわち、玩具、絵本、学習参考書および化粧品などを取引対象の商品とする場合であれば、成長情報記憶部２１は不要となる。
【０１０７】
図８は、本発明の第２の実施形態に係る電子商取引管理サーバ１０Ａの機能構成の一例を示すブロック図である。本実施形態に係る電子商取引管理サーバ１０Ａは、前述の第１の実施形態に係る電子商取引管理サーバ１０と重複する構成を有するので、同一の構成については、同一の参照符を付して説明を省略する。
【０１０８】
本実施形態に係る電子商取引管理サーバ１０Ａは、前述の第１の実施形態に係る電子商取引管理サーバ１０の各部１１〜１７，２１〜２５に加えて、さらに、提供用商品情報記憶部２６と、送信先抽出部２７と、提供情報生成部２８と、提供情報送信部２９とを含み、お勧めまたはお買い得の商品に関する商品情報をオンラインストアの会員に対して送信する場合に、提供すべき情報の送信先を適切に選択して送信するように構成される。
【０１０９】
提供用商品情報記憶部２６には、商品情報データベース１３からオンラインストアの管理者によって選択された、お勧めまたはお買い得の商品についての商品情報（以下、「提供用商品情報」と称する）が格納される。
【０１１０】
送信先決定部２７は、提供用商品情報記憶部２６に提供用商品情報が格納されると、その提供用商品情報から、その商品についての特徴情報を取得する。特徴情報としては、たとえば、ズボン・スカート・Ｔシャツ・トレーナーなどのような区分による分類、カジュアル・フォーマルなどのような区分による分類、花柄・無地・ストライプ・水玉などのような区分による分類、子供服・紳士服・婦人服などのような区分による分類、プリントされたキャラクターの種類による分類、および、ブランド名による分類などによって付与される情報である。このような特徴情報は、各商品の商品情報に予め付与されている。
【０１１１】
送信先決定部２７は、提供用商品情報から上記のような特徴情報を抽出すると、商品情報データベース１３に格納されている商品情報を検索して、抽出した特徴情報に一致または類似する特徴情報を有する商品情報を抽出する。ここで、類似する特徴情報を有する商品情報とは、提供用商品情報から抽出された複数の特徴情報のうちの一部の特徴情報だけが一致している商品情報のことである。
【０１１２】
そして、送信先決定部２７は、注文情報データベース１７に格納されている過去の注文情報を検索して、抽出した商品情報の商品を含む過去の注文情報を抽出する。さらに、送信先決定部２７は、抽出した過去の注文情報において、抽出した商品情報の商品についての商品利用者を抽出する。
【０１１３】
さらに、送信先決定部２７は、抽出した過去の注文情報に紐付けられているユーザ情報から、抽出した商品利用者が保有している電子メールアドレスを抽出する。これにより、送信先決定部２７は、抽出した電子メールアドレスを、提供すべき情報の送信先として決定する。
【０１１４】
提供情報生成部２８は、提供用商品情報記憶部２６に格納されている提供用商品情報に基づいて、送信先に提供する提供情報を生成する。提供情報送信部２９は、提供情報生成部２８によって提供情報が生成されると、送信先決定部２７によって決定された送信先の電子メールアドレスに対して、その提供情報を送信する。
【０１１５】
図９は、本発明の第２の実施形態に係る電子商取引管理サーバ１０Ａによって実行される第１の提供情報送信処理の流れを示すフローチャートである。提供情報送信処理が開始されると、ステップａ１で、送信先決定部２７は、提供用商品情報記憶部２６に提供用商品情報が格納されているか否かを判定する。提供用商品情報が格納されていると判定された場合に、ステップａ２に進む。
【０１１６】
ステップａ２で、送信先決定部２７は、提供用商品情報記憶部２６に格納されている提供用商品情報から、前記のような特徴情報を抽出する。特徴情報が抽出されると、ステップａ３に進む。
【０１１７】
ステップａ３で、送信先決定部２７は、商品情報データベース１３に格納されている商品情報を検索して、ステップａ２で抽出した特徴情報に一致または類似する特徴情報を有する商品情報を抽出する。商品情報が抽出されると、ステップａ４に進む。
【０１１８】
ステップａ４で、送信先決定部２７は、注文情報データベース１７に格納されている過去の注文情報ｆを検索して、ステップａ３で抽出した商品情報の商品と同一または類似の商品を含む過去の注文情報ｆを抽出する。過去の注文情報ｆが抽出されると、ステップａ５に進む。
【０１１９】
ステップａ５で、送信先決定部２７は、ステップａ４で抽出された過去の注文情報ｆにおいて、ステップａ３で抽出した商品情報の商品の商品利用者を抽出する。商品利用者が抽出されると、ステップａ６に進む。
【０１２０】
ステップａ６で、送信先決定部２７は、ステップａ５で注文情報から抽出した商品利用者が保有している電子メールアドレスを、その注文情報に紐付けられているユーザ情報Ｄから抽出する。電子メールアドレスが抽出されると、ステップａ７に進む。
【０１２１】
ステップａ７で、提供情報生成部２８は、提供用商品情報記憶部２６に格納されている提供用商品情報に基づいて、送信先に提供する提供情報を生成する。このとき、送信先が主登録者である場合には、主登録者向けの提供情報を生成し、送信先が付加登録者である場合には、付加登録者向けの提供情報を生成するようにしてもよい。提供情報が生成されると、ステップａ８に進む。
【０１２２】
ステップａ８で、提供情報送信部２９は、ステップａ７で生成された提供情報を、ステップａ６で抽出された電子メールアドレス宛に送信する。提供情報が送信されると、提供情報送信処理を終了する。
【０１２３】
なお、ステップａ６において、商品利用者が電子メールアドレスを保有していない場合には、たとえば、そのユーザ情報Ｄにおける他の登録者が保有している電子メールアドレスを抽出するようにしてもよい。
【０１２４】
以上のように、本実施形態の電子商取引管理サーバ１０Ａによる第１の提供情報送信処理によれば、お勧めまたはお買い得の商品に関する商品情報をオンラインストアの会員に対して送信する場合に、その商品の特徴と同一または類似の特徴を有する商品を注文している過去の注文情報ｆから、その商品の商品利用者を抽出し、その商品利用者の電子メールアドレス宛に、提供情報が送信される。したがって、適切な送信先に対して、提供情報を送信することができる。
【０１２５】
すなわち、ユーザにお勧めの商品情報を送る場合に、注文情報データベース１７に格納されている過去の注文情報ｆの中から主登録者と付加登録者とを区別して、お勧めの商品情報を作成、送信するように構成されているので、主登録者に対して、主登録者自身が利用することのない商品、たとえば子供向けの商品などのお勧め情報が送信されることを防止することができる。
【０１２６】
図１０は、本発明の第２の実施形態に係る電子商取引管理サーバ１０Ａによって実行される第２の提供情報送信処理の流れを示すフローチャートである。提供情報送信処理が開始されると、ステップｂ１で、送信先決定部２７は、提供用商品情報記憶部２６に提供用商品情報が格納されているか否かを判定する。提供用商品情報が格納されていると判定された場合に、ステップｂ２に進む。
【０１２７】
ステップｂ２で、送信先決定部２７は、提供用商品情報記憶部２６に格納されている提供用商品情報から、前記のような特徴情報を抽出する。特徴情報が抽出されると、ステップｂ３に進む。
【０１２８】
ステップｂ３で、送信先決定部２７は、商品情報データベース１３に格納されている商品情報を検索して、ステップｂ２で抽出した特徴情報に一致または類似する特徴情報を有する商品情報を抽出する。商品情報が抽出されると、ステップｂ４に進む。
【０１２９】
ステップｂ４で、送信先決定部２７は、注文情報データベース１７に格納されている過去の注文情報ｆを検索して、ステップｂ３で取得した商品情報の商品と同一または類似の商品を含む過去の注文情報ｆを抽出する。過去の注文情報ｆが抽出されると、ステップｂ５に進む。
【０１３０】
ステップｂ５で、送信先決定部２７は、ステップｂ４で抽出された過去の注文情報ｆにおいて、ステップｂ３で抽出した商品情報の商品の商品利用者を抽出する。商品利用者が抽出されると、ステップｂ６に進む。
【０１３１】
ステップｂ６で、送信先決定部２７は、ステップｂ５で注文情報から抽出した商品利用者が保有している電子メールアドレスを、その注文情報に紐付けられているユーザ情報Ｄから抽出する。電子メールアドレスが抽出されると、ステップｂ７に進む。
【０１３２】
ステップｂ７で、サイズ推定部２３は、ステップｂ４で抽出された過去の注文情報ｆと、成長情報記憶部２１に記憶される成長情報テーブルＴと、計時手段から取得した現時点の日時とに基づいて、前述する推定方法により、ステップｂ５で抽出された商品利用者の現時点における身長サイズの範囲を推定する。身長サイズの範囲が推定されると、ステップｂ８に進む。
【０１３３】
ステップｂ８で、提供情報生成部２８は、提供用商品情報記憶部２６に格納されている提供用商品情報の商品について、ステップｂ７で推定された身長サイズの範囲内に含まれる衣服サイズの在庫が存在しているか否かを、商品情報に基づいて判定する。在庫が存在している場合には、ステップｂ９に進み、在庫がなくなっている場合には、提供情報送信処理を終了する。
【０１３４】
ステップｂ９で、提供情報生成部２８は、提供用商品情報記憶部２６に格納されている提供用商品情報に基づいて、送信先に提供する提供情報を生成する。このとき、送信先が主登録者である場合には、主登録者向けの提供情報を生成し、送信先が付加登録者である場合には、付加登録者向けの提供情報を生成するようにしてもよい。提供情報が生成されると、ステップｂ１０に進む。
【０１３５】
ステップｂ１０で、提供情報送信部２９は、ステップｂ９で生成された提供情報を、ステップｂ６で抽出された電子メールアドレス宛に送信する。提供情報が送信されると、提供情報送信処理を終了する。
【０１３６】
以上のように、本実施形態の電子商取引管理サーバ１０Ａによる第２の提供情報送信処理によれば、前述する第１の提供情報送信処理において、さらに、提供情報を生成する前に、その送信先の商品利用者の現在の身長サイズの範囲を推定し、情報を提供しようとしている商品（衣服）について、その身長サイズの範囲内に含まれる衣服サイズの在庫があるか否かを判定し、在庫がある場合にのみ提供情報が送信される。したがって、適切な送信先に対して、サイズの在庫を考慮した提供情報を送信することができる。
【０１３７】
図１１は、本発明の第２の実施形態に係る電子商取引管理サーバ１０Ａによって実行される注文確認処理の流れを示すフローチャートである。注文確認処理の開始に当たり、電子商取引管理サーバ１０には、商品利用者情報が付加された複数の選択商品情報が、すでに蓄積されているものとする。
【０１３８】
注文確認処理が開始されると、ステップｃ１で、注文情報生成部１４は、端末装置３０から注文手続実行要求を受信する。注文手続実行要求の受信によって、電子商取引管理サーバ１０では、蓄積している選択商品情報による注文が受け付けられる。注文手続実行要求を受信すると、ステップｃ２に進む。
【０１３９】
ステップｃ２で、注文情報生成部１４は、計時手段から注文手続実行要求を受信した日時を取得する。注文受付日時情報を取得すると、ステップｃ３に進む。
【０１４０】
ステップｃ３で、注文情報生成部１４は、蓄積している選択商品情報と、ステップｃ２で取得した注文受付日時情報とに基づいて、最新の注文情報Ｆを生成する。最新の注文情報Ｆを生成すると、ステップｃ４に進む。
【０１４１】
ステップｃ４で、注文情報管理部１６は、ステップｃ４で生成された最新の注文情報Ｆを、注文情報データベース１７に登録する。最新の注文情報Ｆが登録されると、ステップｃ５に進む。
【０１４２】
ステップｃ５で、注文情報抽出部２２は、ステップｃ４で生成された最新の注文情報Ｆから、子供服の利用者としてユーザによって指定されている商品利用者情報を取得し、注文情報データベース１７に格納されている過去の注文情報の中から、取得した商品利用者情報に一致する氏名が商品利用者情報に格納されている注文情報ｆを抽出する。過去の注文情報ｆが抽出されると、ステップｃ６に進む。
【０１４３】
ステップｃ６で、サイズ推定部２３は、ステップｃ５で抽出された過去の注文情報ｆと、成長情報記憶部２１に記憶される成長情報テーブルＴと、ステップｃ４で生成された最新の注文情報Ｆとに基づいて、その最新の注文情報Ｆにおける子供服の商品利用者の、注文情報Ｆの注文受付日時における身長サイズの範囲を推定する。身長サイズの範囲が推定されると、ステップｃ７に進む。
【０１４４】
ステップｃ７で、サイズ判定部２４は、最新の注文情報Ｆにおいてユーザによって指定されている衣服サイズと、ステップｃ６で推定された身長サイズの範囲とを比較することにより、衣服サイズが身長サイズの範囲外であると判定された場合には、ステップｃ８に進む。また、衣服サイズが身長サイズの範囲内であると判定された場合には、注文確認処理を終了する。
【０１４５】
ステップｃ８で、確認情報送信部２５は、提供用商品情報記憶部２６に提供用商品情報が格納されている場合に、その商品について、ステップｃ６で推定された身長サイズの範囲内に含まれる衣服サイズの在庫が存在しているか否かを、商品情報に基づいて判定する。在庫が存在している場合には、ステップｃ９に進み、在庫がなくなっている場合には、ステップｃ１０に進む。
【０１４６】
ステップｃ９で、提供情報生成部２８は、提供用商品情報記憶部２６に格納されている提供用商品情報に基づいて、提供情報を生成する。提供情報が生成されると、ステップｃ１０に進む。
【０１４７】
ステップｃ１０で、確認情報送信部２５は、サイズ確認用ページを生成し、端末装置３０に対して送信する。このとき、ステップｃ８で、在庫が存在していると判定された場合には、ステップｃ９で生成された提供情報を、サイズ確認用ページとともに送信する。サイズ確認用ページが送信されると、注文確認処理を終了する。
【０１４８】
以上のように、本実施形態の電子商取引管理サーバ１０Ａによる注文確認処理によれば、衣服サイズを誤って指定しているおそれのあるユーザに対して、サイズ確認用ページを送信する際に、お勧めまたはお買い得の商品に関する情報を併せて、サイズの在庫を考慮した上で送信される。したがって、ユーザがオンラインストアにログインしているタイミング、すなわち商品を購入しようとしているタイミングで、お勧めまたはお買い得の商品に関する情報を提供することができるので、そのお勧めまたはお買い得の商品について、効果的に販売促進することができる。
【符号の説明】
【０１４９】
１  電子商取引システム
１０  電子商取引管理サーバ
１１  ユーザ情報データベース
１２  ユーザ情報管理部
１３  商品情報データベース
１４  注文情報生成部
１５  情報紐付部
１６  注文情報管理部
１７  注文情報データベース
２１  成長情報記憶部
２２  注文情報抽出部
２３  サイズ推定部
２４  サイズ判定部
２５  確認情報送信部
３０  端末装置
３１  表示部
３２  入力部
５０  電気通信回線網
【図１】
2012099029.tif 000003
【図２】
2012099029.tif 000004
【図３】
2012099029.tif 000005
【図４】
2012099029.tif 000006
【図５】
2012099029.tif 000007
【図６】
2012099029.tif 000008
【図７】
2012099029.tif 000009
【図８】
2012099029.tif 000010
【図９】
2012099029.tif 000011
【図１０】
2012099029.tif 000012
【図１１】
2012099029.tif 000013